(57)【要約】【課題】  葉詰め作業台の吊り込みロールを、ストック台のガイドレールや吊り込み装置の昇降レールの延長上に簡単に位置決めできる操作簡単なストック台または吊り込み装置に対する水平回動式葉詰め作業台の連結装置を提供する。【解決手段】  一端側を葉詰め作業台１に回動不能に設け、他端側をストック台２から側外方に向けて片持ち状に突設する支持アーム１４に水平方向回動可能に設けて回動アーム２４を長くその回動半径を大きなものにして、回動支点１点ｃを中心に水平回動する回動アーム２４のその大径な回動軌跡にのって、葉詰め作業台１を内方向に水平回動させてストック台２に当接して所定の直列的な配置形態に位置決めする。【選択図】  図４
0003110127.tif 000002
【実用新案登録請求の範囲】
【請求項１】
葉詰めされた葉たばこ吊り具を適宜数個吊り下げ保持するためのストック台または葉詰めされた葉たばこ吊り具を支持して上下動する昇降レールを備えた吊り込み装置に、葉詰め作業台を水平回動可能に連結する連結装置において、
前記葉詰め作業台とストック台または葉詰め作業台と吊り込み装置との設備相互の間係にあって、一方の設備における他方の設備寄りから側外方を向けて支持アームを片持ち状に突設し、該支持アームに回動アームの一端側を回動可能に設け、該回動アームの他端側を他方の設備に回動不能に設けて、該回動アームの回動支点１点を中心とする葉詰め作業台の内方向への水平回動で互いに当接する設備同士を平行度を出して所定の直列的な配置形態に位置決め可能にしたことを特徴とするストック台または吊り込み装置に対する水平回動式葉詰め作業台の連結装置。
【請求項２】
前記支持アームの前記一方の設備からの突設長さを調整可能にしたことを特徴とする請求項１記載のストック台または吊り込み装置に対する水平回動式葉詰め作業台の連結装置。
【考案の詳細な説明】
【技術分野】
【０００１】
本考案は、葉詰めされた葉たばこ吊り具を適宜数吊り下げ状にストックするストック台または乾燥室への葉たばこ吊り具の吊り込みを行う吊り込み装置に対して、葉詰め作業台を水平方向回動可能に連結する連結装置に関するものである。
【背景技術】
【０００２】
葉たばこ葉詰め・吊り込み装置には、葉詰め作業台をその前方に配設されるストック台や乾燥室への吊り込み装置に水平方向回動可能に連結したタイプのものが存在する。
この場合、葉詰め作業台は、２台使用され、ストック台や吊り込み装置の左右両側に夫々水平方向回動可能に連結して、葉詰めされた葉たばこ吊り具をストック台や吊り込み装置に送り込む時でも他方の葉詰め作業台で葉たばこの葉詰め作業を実行できるようにして、乾燥室に吊り込むまでの葉詰め吊り込み効率を向上させることができる。
葉たばこが葉詰めされた葉たばこ吊り具を、ストック台のガイドレールや吊り込み装置の昇降レールに送り込むには、連結部を中心に葉詰め作業台を内向きに回動させることによって、葉たばこ吊り具左右両端の吊り込みローラがストック台のガイドレールの延長上、また吊り込み装置の昇降レールの延長上に位置決めされるように構成されている。
その連結装置は、図６に示すように、葉詰め作業台１と、吊り込み装置３とに亘って端部同士を回動可能に連結した２本の回動アーム１０、１０の遊端の一方を葉詰め作業台１に、他方を吊り込み装置３に各々回動可能に連結し、葉詰め作業台１と吊り込み装置３との間係において、一方に平行する複数のベアリング１００を凸状に設け、他方にそのベアリング１００が収まるガイドシューター２００ａ付きの位置決め凹部２００を設けて、２本の回動アーム１０、１０を折畳む内向きな回動でベアリング１００が位置決め凹部２００に嵌合掛止して、葉たばこ吊り具が吊り込み装置３の昇降レール１３に送り込めるように配置されるようになっている（例えば、特許文献１参照）。
【０００３】
ところで、葉詰め作業台１と吊り込み装置３とを連結する２本の回動アーム１０、１０は各々回り対偶を形成して、伸長形態、折畳形態に変化するので、その伸長状態と折畳み状態の範囲で自由に回動可能である。
そのため、葉詰め作業台１を水平方向に回動するだけでは葉たばこ吊り具を吊り込み装置３に送り込めるように移動させることができず、図６（ａ）（ｂ）に示すように、葉詰め作業台１を、単なる回動操作だけではなく、ベアリング１００が両面開きのガイドシューター２００ａ付きの位置決め凹部２００に収まるように吊り込み装置３側に故意に押動させて位置合わせする必要であり、ベアリング１００と共にそれが嵌合掛止する両面開きのガイドシューター２００ａ付きの位置決め凹部２００を付設する必要があり、構造的にも複雑で、廉価な提供の障害にもなっている。
【特許文献１】特開２００４−８０６２号公報
【考案の開示】
【考案が解決しようとする課題】
【０００４】
本考案はこのような従来事情に鑑みてなされたものであり、その目的とする処は葉詰め作業台の吊り込みロールを、ストック台のガイドレールや吊り込み装置の昇降レールの延長上に簡単に位置決めできる操作簡単なストック台または吊り込み装置に対する水平回動式葉詰め作業台の連結装置を提供せんとするものである。
【課題を解決するための手段】
【０００５】
前記課題を解決するために講じた技術的手段は、葉詰めされた葉たばこ吊り具を適宜数個吊り下げ保持するためのストック台または葉詰めされた葉たばこ吊り具を支持して上下動する昇降レールを備えた吊り込み装置に、葉詰め作業台を水平回動可能に連結する連結装置において、
前記葉詰め作業台とストック台または葉詰め作業台と吊り込み装置との設備相互の間係にあって、一方の設備における他方の設備寄りから側外方を向けて支持アームを片持ち状に突設し、該支持アームに回動アームの一端側を回動可能に設け、該回動アームの他端側を他方の設備に回動不能に設けて、該回動アームの回動支点１点を中心とする葉詰め作業台の内方向への水平回動で互いに当接する設備同士を平行度を出して所定の直列的な配置形態に位置決め可能にしたことを特徴とするストック台または吊り込み装置に対する水平回動式葉詰め作業台の連結装置である（請求項１）。
前記設備同士を平行度を出して所定の直列的な配置形態に位置決め可能とは、ストック台に対して葉詰め作業台、吊り込み装置に対して葉詰め作業台が平行関係をもって葉たばこ吊り具の吊り込みローラがストック台のガイドレールや吊り込み装置の昇降レールの延長上に配置される形態に位置決めされることを指している。
そのため、図４に示すように、回動アーム２４の回動支点１点ｃとその回動アーム２４の他端側を回動不能に設ける設備の当接点（葉詰め作業台を隣設する設備に対して平行度を出して所定の直列的な配置形態に位置決めする時の一方の設備当接点）３４との直線距離Ｓ１、回動アーム２４の回動支点１点ｃと支持アーム１４を片持ち状に突設する設備の当接点（葉詰め作業台を隣設する設備に対して平行度を出して所定の直列的な配置形態に位置決めする時の他方の設備の当接点）３４との直線距離Ｓ２とを一致もしくはほぼ一致させている。
【０００６】
以上の手段によれば、回動アームは、一端側を一方の設備に回動不能に設け、他端側を他方の設備から側外方に向けて片持ち状に突設する支持アームに水平方向回動可能に設けた結果、回動半径を大きくする長いものとなる。
そのため、回動支点１点を中心に水平回動する回動アームのその大径な回動軌跡にのって、葉詰め作業台が内方向に水平回動してストック台や吊り込み装置に当接して設備同士を平行度を出して所定の直列的な配置形態に位置決めする。
【０００７】
また、前記支持アームの前記一方の設備からの突設長さを調整可能にしていると好適なものである（請求項２）。
【０００８】
以上の手段によれば、回転用アームの設備に対する取付位置（回転不能な連結位置）や支持アームの設備に対する取付位置（片持ち取付位置）の誤差を吸収し互いに当接する設備同士を所定の直列的な配置形態に位置決めする。
【考案の効果】
【０００９】
本考案は請求項１のように構成したから、回動支点１点を中心に葉詰め作業台を内向きに水平回動させるだけの簡単な操作で葉詰め作業台をストック台や吊り込み装置に対して直列に位置決めして葉たばこ吊り具の吊り込みローラをストック台のガイドレールや吊り込み装置の昇降レールに対して正規な送り込み位置に設置できる。
しかも、一端側を一方の設備に回動不能に設け、他端側を他方の設備から側外方に向けて片持ち状に突設する支持アームに水平方向回動可能に設けて回動アームを長くその回動半径を大きなものにして、葉詰め作業台をその回動アームの大径な回動軌跡にのって水平回動するようにしているから、葉詰め作業台とストック台、吊り込み装置との所定の当接部に隣設して凹凸等が存在していてもそれを避けて当接部同士を当接させ、平行度を出すことができる。
その上、先行技術のように葉詰め作業台の回動操作に、ベアリングが両面開きのガイドシューター付きの位置決め凹部に収まるように吊り込み装置側等に押動する位置合わせ作業を盛り込む複雑な操作を行う必要がなく、葉たばこ葉詰め・吊り込み効率を大幅に向上できる。
しかも、所定の直列的な配置形態に位置決めするために、ベアリングや両面開きのガイドシューター付きの位置決め凹部等の複雑構造の受け手段が敢えて不要であり、単純構造で、安価な提供に寄与することができる。
その上、請求項２にあっては、支持アームの設備に対する片持ち取付位置や回動アームの設備に対する取付位置の誤差を吸収でき、利便である。
【考案を実施するための最良の形態】
【００１０】
次に、本考案ストック台または吊り込み装置に対する水平回動式葉詰め作業台の連結装置の実施の形態を説明すると、図１〜図４はその第１の実施の形態を、図５は同第２の実施の形態を示している。
【実施例１】
【００１１】
図１〜図４に基づいて説明すると、この実施の形態は、ストック台に対する水平回動式葉詰め作業台の連結装置を示し、符号１は葉詰め作業台、２はストック台である。
葉詰め作業台１は、図２、図３に示すようにキャスター８１で移動可能になっており、支持台１１にテーブル２１を支持し、その支持台１１の後縁に沿って葉詰め作業時に葉柄を当てる葉柄当て板４１を立設し、テーブル２１の前方に沿って水平状態から下向きに葉受け体５１を回動可能に設け、その葉受け体５１と支持台１１とに亘って緩衝手段（ダンパー機構）６１を架設して、その緩衝手段６１で葉受け体５１を支持し、その葉受け体５１の左右両端部に葉たばこ吊り具の左右両端部を載承する載承部７１を備えた今日公知の基本的構成のものを図示している。
そして、この葉詰め作業台１では、葉たばこ吊り具５の受けラックをテーブル２１に載承し、葉柄を葉柄当て板４１に当接させた状態で葉たばこをその受けラック上に積み重ねた後、葉柄側にフォークラックの長針を刺し込んで、両ラックの両端を互いにパッチン錠等を用いて分離不能に連結してから、葉たばこ吊り具５に前記緩衝手段（ダンパー機構）６１の緩衝力に抗する回動力を付与して前記葉受け体５１を葉先が下向きになるように水平状態から回動させて、葉たばこ吊り具５の左右両端を前記載承部７１、７１に載承した後に、葉詰め作業台１の前方に配置したストック台２に葉詰めされた葉たばこ吊り具５を複数水平にストックできるようになっている。
【００１２】
前記載承部７１は、アーム７１ａを前記葉受け体５１から立設し、そのアーム７１ａに等間隔をおいて支持ローラ７１ｂ…複数個を回転可能に軸着して構成されている。
また、前記載承部７１は、図示しないが無端ベルトであっても良いものである。無端ベルトの場合には、葉受け体５１を水平状態から葉柄が上向きに葉先が下向きになるように葉詰めされた葉たばこを下向きになるように回動させた際、葉たばこ吊り具５の左右端部が無端ベルトに載承されるようにしている。
【００１３】
前記葉たばこ吊り具５は、左右端部上下部分前縁に沿って吊り込みローラ１５…が回転可能に軸着され、この吊り込みローラ１５…がストック台２のガイドレール１２に載承されて送り込むことができるようになっている。
【００１４】
前記支持台１１は、この実施の形態では図２に示すように剛性の有る断面略Ｌ形またはコ字形等をしたアングル材や角または丸パイプ材を用いて横長矩形状に枠組形成されたテーブル支持枠１１ａの下端にロック解除可能なキャスター８１を備えた単純な構成になっている。
【００１５】
前記ストック台２は、葉詰め作業台１で葉詰めされた葉たばこ吊り具５を乾燥室に吊り込むための昇降レール１３を有する吊り込み装置３に移送する前に適宜数個（２〜５個程度）をまとめて吊り下げ保持しておくためのものであり、剛性の有る断面略Ｌ形またはコ字形等をしたアングル材や角または丸パイプ材等を用いて、正面からみて葉たばこ吊り具の長さとほぼ同じ幅を有する略逆門形の台２２を形成し、該台２２の両サイドの上端には葉詰めされた葉たばこ吊り具５の吊り込みローラ１５…を載承して葉詰めされた葉たばこ吊り具５を吊り下げ支持するための左右のガイドレール１２、１２を水平状に架設し、下部には床面上を移動可能なようにキャスター３２を設けると共にストック台２を床面上に定置固定させるためのストッパー手段４２を設けている。
【００１６】
前記葉詰め作業台１は、ストック台２に対して水平回動可能に連結されている。
その連結装置４は、図１、図２、図４等に示すように支持アーム１４、回動アーム２４、受け部（当接点）３４等から構成される。
図面では、ストック台２に支持アーム１４を、葉詰め作業台１に回動アーム２４を設けた場合を示している。
【００１７】
前記支持アーム１４は、図２、図４に示すようにストック台２の台２２において葉詰め作業台１側の両縦杆２２ａ、２２ａ下端に基端側を溶着等の適宜手段で片持ち状に固定して葉詰め作業台１方向に対して直角外向き張り出し状に突設させてある。
【００１８】
前記回動アーム２４は、同じく図２、図４に示すように葉詰作業台１におけるテーブル支持枠１１ａ下端の平行脚杆１１ｂ、１１ｂ片方の中途部に一端側を回動不能に連結すると共に、他端側を前記支持アーム１４の先端に回動可能に枢支または軸着して斜設されている。
前記平行脚杆１１ｂ、１１ｂ先端各々には、丸パイプが溶着され、該丸パイプが葉詰め作業台１を内方向へ水平回動してストック台２に対して平行度を出して所定の直列的な配置形態に位置決めする時の葉詰め作業台１側の受け部（当接点）３４になっている。
【００１９】
前記ストック台２側の受け部（当接点）３４は、横向き略Ｖ字状を呈する係合部であり、その一辺に開放縁からその開放口を狭める方向に折曲する屈曲部３４ａを経てガイド片３４ｂを外開き状に延設し、その開放部を、図４（ｄ）に示すようにストック台２のガイドレール１２に対して平行度を出して所定の直列的な配置形態に位置決めされた際の葉詰め作業台１方向に向けて、前記支持アーム１４の片持ち支持部下位に溶着等の適宜手段で固定されている。
【００２０】
前記回動アーム２４の回動支点１点ｃと葉詰め作業台１における前記平行脚杆１１ｂ先端の受け部（当接点（丸パイプ））３４との直線距離Ｓ１と、回動アーム２４の回動支点１点ｃと受け部（当接点（係合部））との直線距離Ｓ２とは、図４（ａ）に示すように一致またはほぼ一致させてあり、回動支点１点ｃを中心にして回動アーム２４を内向きに水平回動させて、前記受け部（当接点（丸パイプ））、（当接点（係合部））３４、３４が係合することによって、葉詰め作業台１をストック台２に対して平行度を出して葉たばこ吊り具５の吊り込みローラ１５がストック台２のガイドレール１２の延長線上に配置されて位置決めされようになる。
そして、前記係合時には、葉詰め作業台１の平行脚杆１１ｂ、１１ｂ先端の丸パイプが屈曲部３４ａ、３４ａを乗り越えて係合部（受け部３４）に係合するため、屈曲部３４ａが障害になって、葉詰め作業台１を故意に外方向に水平回動させなけねば係合関係を解除しないようになっている。
【００２１】
以上のようにこの実施の形態のストック台に対する水平回動式葉詰め作業台の連結装置では、図４（ａ）に示す葉詰め作業台１外向き水平回動形態で、その葉詰め作業台１で葉詰め作業を行った後、回動支点１点ｃを中心して葉詰め作業台１を内向きに水平回動すると、ストック台２から側外方に向けて片持ち状に突設する支持アーム１４に水平方向回動可能に設けた回動アーム２４の大径な回動軌跡にのって葉詰め作業台１が水平回動して、受け部（当接点（丸パイプ））、（当接点（係合部））３４、３４同士が弾性的に係合して、葉たばこ吊り具５の吊り込みローラ１５をストック台２のガイドレール１２の延長線上に配置してストック台２に対して葉詰め作業台１を位置決めすることができる（図４（ｂ）（ｃ）（ｄ））。
そして、葉たばこ吊り具５に緩衝手段（ダンパー機構）６１の緩衝力に抗する回動力を付与して葉受け体５１を葉先が下向きになるように水平状態から回動させて、葉たばこ吊り具５の左右両端を前記載承部７１に支承すると、自ずとストック台２寄りの吊り込みローラ１５がガイドレール１２に載承されて、ストック台２に葉たばこ吊り具５を送り込むことができるようになる。
尚、受け部３４、３４各々は前記する丸パイプが係合する構成である必要はなく、単なる面であっても良いものである。
【実施例２】
【００２２】
次に図５に示す第２の実施の形態を説明すると、この実施の形態は前記する支持アーム１４を一方の設備するその突設長さを調整可能に構成している。
支持アーム１４は、回動支点１点とする回動軸１４ａとは逆側である基端側上下面に長孔１４ｂをアーム長さ方向に開孔し、この支持アーム１４をストック台２の前記縦杆２２ａに固定金具６で緊結した受け枠７にスライド可能に取付けられている。
【００２３】
前記受け枠７は、前記縦杆２２ａに固定金具６で緊結されるコ字状の抱持部１７から前記縦杆２２ａ内面との間に支持アーム１４を挿嵌するＬ形片２７を折曲形成し、Ｌ形片２７の水平片部２７ａに下端を溶着する螺軸８を前記長孔１４ｂから上方に貫通させてナット９で締結することによって、支持アーム１４を片持ち状に支持し、ナット９を緩めることによって、長孔１４ｂの長さ分、前記縦杆２２ａからの支持フーム１４の側外方への突設長さを調整することができるようになっている。
【００２４】
これによって、支持アーム１４の一方の設備に対する取付位置（片持ち取付位置）、回動アーム２４の他方の設備に対する取付位置（回動不能な連結位置）に誤差が生じても、支持アーム１４の一方の設備からの突出量を調整して、前記する直線距離Ｓ１、Ｓ２を一致もしくはほぼ一致させることができる。
【００２５】
尚、吊り込み装置３に対する水平回動式葉詰め作業台の連結装置については、前記する実施の形態のストック台２に対して吊り込み装置３が置換される構成であり、その吊り込み装置３に対して葉詰め作業台１が前記連結装置４をもって水平回動式に連結されるだけであるため、具体的説明は省略する。
【００２６】
また、各実施の形態では詳述しないが、回動アームは回動支点１点とは逆側から角パイプを垂設し、該角パイプを、葉詰め作業台の平行脚杆の外面に溶着する角パイプに抜き差し可能に嵌合して取り外し可能とし、また支持アームも前記のように螺軸に対するナットの螺嵌を完全に解除すれば取り外せるようになっている。
【図面の簡単な説明】
【００２７】
【図１】本発明ストック台または吊り込み装置に対する水平回動式葉詰め作業台の連結装置の第１の実施の形態の平面図。
【図２】ストック台と葉詰め作業台との連結装置の関係を示す斜視図で、（ａ）は斜視図で、主に葉詰め作業台を示す、（ｂ）は連結装置の拡大斜視図。
【図３】図２（ａ）の側面図で一部切欠して示す。
【図４】ストック台に対する葉詰め作業台の内向き水平回動状態を示す平面図で、（ａ）は葉詰め作業台を外方向に水平回動させている状態を示す、（ｂ）は葉詰め作業台を内向きに水平回動させているその中途の状態を示す、（ｃ）は葉詰め作業台における平行脚杆先端の丸パイプ（当接点）が他方の設備の受け部（当接点）に係合する寸前の状態を示す、（ｄ）は、同丸パイプ（当接点）がその受け部（当接点）に係合してストック台に対して葉詰め作業台を所定の直列的な配置形態に位置決めした状態を示す。
【図５】同第２の実施の形態を示し、（ａ）は支持アームの片持ち支持部の平面図で一部切欠して示し、（ｂ）は、同正面図で、一部切欠して示す。
【図６】従来の連結装置の平面図であり、（ａ）は葉詰め作業台を内向きに水平回動させている状態を、（ｂ）はベアリングをガイドシューター付きの位置決め凹部に嵌合係止さる状態を各々示す。
【符号の説明】
【００２８】
１：葉詰め作業台（設備）    ２：ストック台（設備）
３：吊り込み装置（設備）    ５：葉たばこ吊り具
１５：吊り込みローラ        ７１：載承部
１２：ガイドレール            ３：昇降レール
１４：支持アーム            ２４：回動アーム
ｃ：回動支点１点            ４：連結装置
３４、３４：受け部（当接点）
【図１】
0003110127.tif 000003
【図２】
0003110127.tif 000004
【図３】
0003110127.tif 000005
【図４】
0003110127.tif 000006
【図５】
0003110127.tif 000007
【図６】
0003110127.tif 000008